(57)【要約】【課題】  ステータの冷却効果を高めることができるブラシレスファンモータを提供する。【解決手段】  ブラシレスファンモータ１５７の底壁部１３３の中央部に中央貫通孔１３３ａを形成する。ブラシレスファンモータ１５７の内壁部に中央貫通孔１３３ａを通して外気を引き込むことができる形状の羽根部１３５を形成する。第１のブラシレスファンモータ１５７の端板部１２５に中央貫通孔１３３ａから引き込んだ外気をロータカバー内に導入する貫通孔を形成する。【選択図】  図４
2008017607.tif 000002
【特許請求の範囲】
【請求項１】
筒状部及び該筒状部の一端に一体に設けられて回転軸に固定された端板部を有するロータカバーと、前記筒状部の内周部に設けられた複数の永久磁石磁極部とを備えたロータと、
前記ロータの内側に配置されたステータと、
複数枚のブレードと、該複数枚のブレードが取付られて前記ロータカバー上に嵌められるキャップ部材とを備えたインペラとを具備し、
前記キャップ部材が、前記複数枚のブレードが外周部に取付られた筒状の周壁部と、該周壁部の一端に設けられて前記端板部と対向する底壁部とを有しているブラシレスファンモータであって、
前記キャップ部材の前記底壁部の中央部には、前記回転軸の軸線方向に貫通する中央貫通孔が形成されており、
前記底壁部の前記端板部と対向する内壁部には、前記中央貫通孔を通して外気を引き込むことができる形状の複数枚の羽根部が前記周壁部の周方向に間隔をあけて形成されており、
前記端板部には、前記中央貫通孔から引き込んだ外気を前記ロータカバー内に導入するために前記端板部を前記軸線方向に貫通する複数の貫通孔が前記周方向に間隔をあけて形成されていることを特徴とするブラシレスファンモータ。
【請求項２】
前記複数の貫通孔は、前記中央貫通孔と対向しない位置に設けられている請求項１に記載のブラシレスファンモータ。
【請求項３】
前記複数の貫通孔は、前記ステータの巻線と対向する位置に設けられている請求項２に記載のブラシレスファンモータ。
【請求項４】
前記複数枚の羽根部が前記周壁部の周方向に等しい間隔をあけて形成されており、
前記複数の貫通孔が前記周方向に等しい間隔をあけて形成されており、
前記複数枚の羽根部と前記複数の貫通孔とが対向しないように、前記複数枚の羽根部の枚数が前記複数の貫通孔の数よりも多いことを特徴とする請求項１または２に記載のブラシレスファンモータ。
【請求項５】
前記複数枚の羽根部及び前記キャップ部材は、射出成形または鋳造により一体成形されている請求項１に記載のブラシレスファンモータ。
【請求項６】
軸線方向の一方の側に吸い込み側開口部を有し前記軸線方向の他方の側に吐き出し側開口部を有する風洞を備えた第１のケースと、前記吸い込み側開口部内において回転するインペラを備えた第１のブラシレスファンモータとを有する第１の単体軸流送風機と、
前記軸線方向の一方の側に吸い込み側開口部を有し前記軸線方向の他方の側に吐き出し側開口部を有する風洞を備えた第２のケースと、前記吐き出し側開口部内において回転するインペラを備えた第２のブラシレスファンモータとを有する第２の単体軸流送風機とを具備し、
前記第１の単体軸流送風機の前記第１のケースと前記第２の単体軸流送風機の前記第２のケースとが結合構造を介して組み合わされてなり、
前記第１及び第２のブラシレスファンモータが、
筒状部及び該筒状部の一端に一体に設けられて回転軸に固定された端板部を有するロータカバーと、前記筒状部の内周部に設けられた複数の永久磁石磁極部とを備えたロータと、
前記ロータの内側に配置されたステータと、
複数枚のブレードと、該複数枚のブレードが取付られて前記ロータカバー上に嵌められるキャップ部材とを備えたインペラとを具備し、
前記キャップ部材が前記複数枚のブレードが外周部に取付られた筒状の周壁部と、該周壁部の一端に設けられて前記端板部と対向する底壁部とを有しており、
前記第１のブラシレスファンモータが、前記吸い込み側開口部に前記キャップ部材の前記底壁部が位置するように配置され、前記第２のブラシレスファンモータが、前記吐き出し側開口部に前記キャップ部材の前記底壁部が位置するように配置されている二重反転式軸流送風機において、
前記第１のブラシレスファンモータの前記キャップ部材の前記底壁部の中央部には、前記回転軸の軸線方向に貫通する中央貫通孔が形成されており、
前記第１のブラシレスファンモータの前記底壁部の前記端板部と対向する内壁部には、前記中央貫通孔を通して外気を引き込むことができる形状の複数枚の羽根部が前記周壁部の周方向に間隔をあけて形成されており、
前記第１のブラシレスファンモータの前記端板部には、前記中央貫通孔から引き込んだ外気を前記ロータカバー内に導入するために前記端板部を前記軸線方向に貫通する複数の貫通孔が前記周方向に間隔をあけて形成されていることを特徴とする二重反転式軸流送風機。
【請求項７】
前記第２のブラシレスファンモータの前記キャップ部材の前記底壁部の中央部には、前記回転軸の軸線方向に貫通する中央貫通孔が形成されており、
前記第２のブラシレスファンモータの前記端板部には、前記端板部を前記軸線方向に貫通する複数の貫通孔が前記周方向に間隔をあけて形成されていることを特徴とする請求項６に記載の二重反転式軸流送風機。
【請求項８】
前記複数の貫通孔は、前記中央貫通孔と対向しない位置に設けられている請求項７に記載の二重反転式軸流送風機。
【請求項９】
前記第１及び第２のブラシレスファンモータは、前記回転軸を回転自在に支持する軸受が内部に収納される金属製の軸受ホルダをそれぞれ有しており、
前記第１及び第２の単体軸流送風機は、前記第１のブラシレスファンモータの前記軸受ホルダと前記第２のブラシレスファンモータの前記軸受ホルダとが熱伝達可能に接触した状態で組み合わされている請求項６に記載の二重反転式軸流送風機。
【発明の詳細な説明】
【技術分野】
【０００１】
本発明は、ブラシレスファンモータ及びブラシレスファンモータを２台用いて構成され二重反転式軸流送風機に関するものである。
【背景技術】
【０００２】
特開２００３−２３０２４６号公報（特許文献１）等に示されるブラシレスファンモータは、ロータと、ロータの内側に配置されたステータと、ロータの外側に配置されたインペラとを具備している。ロータは、筒状部及び該筒状部の一端に一体に設けられて回転軸に固定された端板部を有するロータカバーと、筒状部の内周部に設けられた複数の永久磁石磁極部とを備えている。インペラは、複数枚のブレードと該複数枚のブレードが取付けられたキャップ部材とを備えている。キャップ部材は、複数枚のブレードが外周部に取付られた筒状の周壁部と、該周壁部の一端に設けられてロータカバーの端板部と対向する底壁部とを有しており、ロータカバー上に嵌められている。この種のブラシレスファンモータでは、特にロータの回転数を上げた際に、ステータから発生する熱を外部に放出することが課題となっている。
【０００３】
このような課題を解決する構造として、特開平１０−２１０７２７号公報（特許文献２）に示されるように、金属製のロータカバーの端板部を部分的に切り起こして、複数枚の羽根部を形成したモータがある。このモータでは、ロータが回転すると、複数枚の羽根部により外気がロータカバー内に導入される。導入された外気は、ステータから発生する熱によって加熱されて外部に放出される。その結果、モータ内の温度が下がる。
【特許文献１】特開２００３−２３０２４６号公報
【特許文献２】特開平１０−２１０７２７号公報
【発明の開示】
【発明が解決しようとする課題】
【０００４】
しかしながら、ロータカバー上にキャップ部材が嵌め合わされた二重構造を有するブラシレスファンモータでは、ロータカバー自体の温度を低下させ難い問題がある。またロータカバーに羽根部を形成する構造では、ロータカバーとステータとの組立精度、ステータの巻線部の形成精度を高めておかないと、羽根部が巻線部と接触するおそれがある。そのためロータカバーの端板部とステータとの間に十分な間隔を確保する必要があり、ブラシレスファンモータの軸線方向寸法を小さくすることの障害になっていた。
【０００５】
本発明の目的は、高い組立精度を必要とすることなく、しかも軸線方向寸法を小さくすることを可能にして、ステータの冷却効果を高めることができるブラシレスファンモータ及び二重反転式軸流送風機を提供することにある。
【課題を解決するための手段】
【０００６】
本願発明が改良の対象とするブラシレスファンモータは、ロータとステータとインペラとを具備している。ロータは、筒状部及び該筒状部の一端に一体に設けられて回転軸に固定された端板部を有するロータカバーと、筒状部の内周部に設けられた複数の永久磁石磁極部と備えている。ステータは、ロータの内側に配置されている。インペラは、複数枚のブレードと、該複数枚のブレードが取付られてロータカバー上に嵌められるキャップ部材とを備えている。そして、キャップ部材は、複数枚のブレードが外周部に取付られた筒状の周壁部と、該周壁部の一端に設けられて端板部と対向する底壁部とを有している。本発明では、キャップ部材の底壁部の中央部には、回転軸の軸線方向に貫通する中央貫通孔が形成されている。また、底壁部の端板部と対向する内壁部には、中央貫通孔を通して外気を引き込むことができる形状の複数枚の羽根部が周壁部の周方向に間隔をあけて形成されている。そして、端板部には、中央貫通孔から引き込んだ外気をロータカバー内に導入するために端板部を軸線方向に貫通する複数の貫通孔が周方向に間隔をあけて形成されている。
【０００７】
本発明のブラシレスファンモータでは、ロータが回転すると、複数枚の羽根部の回転により、キャップ部材の中央貫通孔を通してキャップ部材内に外気が引き込まれる。そして引き込まれた外気が、ロータカバーの端板部に設けた複数の貫通孔を通ってロータカバー内に導入される。そしてロータカバー内に導入された外気が、ステータから発生する熱によって加熱された後、外部に放出されてステータが冷却される。このように構成すると、キャップ部材の内部に導入された外気は、ロータカバーの端板部が冷却された後、ロータカバーの内部が冷却される。そのためキャップ部材がロータカバー上に嵌められていても、ロータカバー自体を部分的に冷却した後に、ロータカバー内を冷却することができる。したがって本発明によれば、ロータカバーとキャップ部材の二重構造が、冷却性能を低下させる問題を解消することができる。またロータカバーには、複数の貫通孔が形成されているだけであるため、ロータとステータとの組立に高い精度が要求されることはない。したがって製造が容易である。またロータカバー内に羽根部が突出していないので、羽根部により巻線部を損傷させる恐れがなく、ブラシレスファンモータの軸線方向の寸法を可能な範囲で小さくすることができる。
【０００８】
またインペラのキャップ部材に複数枚の羽根部を形成する場合には、インペラを合成樹脂の射出成形や金属のダイキャスト等の鋳物で形成することができる。そのため、複数枚の羽根部を十分な冷却効果を発揮する所望の形状に形成することができ、ステータの冷却効果を高めることができる。
【０００９】
複数の貫通孔は、中央貫通孔と対向しない位置に設けるのが好ましい。このようにすれば、中央貫通孔を介してインペラ内に侵入したゴミ等が複数の貫通孔を通してステータ内に直接侵入するのを防ぐことができる。
【００１０】
そして複数の貫通孔は、ステータの巻線と対向する位置に設けるのが好ましい。このようにすれば、複数の貫通孔を通ってロータカバー内に導入された外気が、直接ステータの巻線上を通過するため、ステータの巻線から発生する熱を効果的に外気で吸収して、冷却性能を高めることができる。
【００１１】
複数枚の羽根部を周壁部の周方向に等しい間隔をあけて形成し、複数の貫通孔を周方向に等しい間隔をあけて形成する。この場合、複数枚の羽根部と複数の貫通孔とが対向しないように、複数枚の羽根部の枚数は、複数の貫通孔の数より多くするのが好ましい。例えば、複数枚の羽根部の枚数が複数の貫通孔の数の倍数にならないように、複数枚の羽根部の枚数を複数の貫通孔の数より１枚多くすればよい。このようにすれば、キャップ部材とロータカバーとを適当に組み合わせても、複数枚の羽根部と複数の貫通孔がすべて、対向する（重なる）ことがなくなる。その結果、組立が容易になって、しかも複数の貫通孔からロータカバー内に必要な外気を確実に導入することができる。
【００１２】
複数枚の羽根部及びキャップ部材は、射出成形または鋳造により一体成形するのが好ましい。このようにすれば、インペラを成形する際に、羽根部を一緒に形成できる上、羽根部を十分な冷却効果を発揮する所望の形状に形成することができる。そのため、ステータの冷却効果を高めることができる。
【００１３】
本発明が改良の対象とする二重反転式軸流送風機は、第１の単体軸流送風機と第２の単体軸流送風機とを具備している。第１の単体軸流送風機は、軸線方向の一方の側に吸い込み側開口部を有し軸線方向の他方の側に吐き出し側開口部を有する風洞を備えた第１のケースと、吸い込み側開口部内において回転するインペラを備えた第１のブラシレスファンモータとを有している。第２の単体軸流送風機は、軸線方向の一方の側に吸い込み側開口部を有し軸線方向の他方の側に吐き出し側開口部を有する風洞を備えた第２のケースと、吐き出し側開口部内において回転するインペラを備えた第２のブラシレスファンモータとを有している。そして、第１の単体軸流送風機の第１のケースと第２の単体軸流送風機の第２のケースとが結合構造を介して組み合わされている。また、第１及び第２のブラシレスファンモータは、ロータとステータとインペラとを具備している。ロータは、筒状部及び該筒状部の一端に一体に設けられて回転軸に固定された端板部を有するロータカバーと、筒状部の内周部に設けられた複数の永久磁石磁極部とを備えている。ステータは、ロータの内側に配置されている。インペラは、複数枚のブレードと、該複数枚のブレードが取付られてロータカバー上に嵌められるキャップ部材とを備えている。キャップ部材は、複数枚のブレードが外周部に取付られた筒状の周壁部と、該周壁部の一端に設けられて端板部と対向する底壁部とを有している。そして、第１のブラシレスファンモータが、吸い込み側開口部にキャップ部材の底壁部が位置するように配置され、第２のブラシレスファンモータが、吐き出し側開口部にキャップ部材の底壁部が位置するように配置されている。本発明では、第１のブラシレスファンモータのキャップ部材の底壁部の中央部には、回転軸の軸線方向に貫通する中央貫通孔が形成されている。また、第１のブラシレスファンモータの底壁部の端板部と対向する内壁部には、中央貫通孔を通して外気を引き込むことができる形状の複数枚の羽根部が周壁部の周方向に間隔をあけて形成されている。そして、第１のブラシレスファンモータの端板部には、中央貫通孔から引き込んだ外気をロータカバー内に導入するために端板部を軸線方向に貫通する複数の貫通孔が周方向に間隔をあけて形成されている。
【００１４】
本発明の二重反転式軸流送風機では、ロータが回転すると、第１のブラシレスファンモータの複数枚の羽根部によりキャップ部材の中央貫通孔を通して引き込まれた外気が、複数の貫通孔を通ってロータカバー内に導入される。これにより、第１のブラシレスファンモータのステータから発生する熱が外部に放出されてステータが冷却される。二重反転式軸流送風機では、通常、第１のブラシレスファンモータの回転速度が第２のブラシレスファンモータの回転速度より早いため、第１のブラシレスファンモータのステータが高温になりやすい。そのため、本発明では、二重反転式軸流送風機の第１のブラシレスファンモータのステータを効率的に冷却することができ、二重反転式軸流送風機の性能を高めることができる。
【００１５】
第２のブラシレスファンモータのキャップ部材の底壁部の中央部には、回転軸の軸線方向に貫通する中央貫通孔を形成し、第２のブラシレスファンモータの端板部には、端板部を軸線方向に貫通する複数の貫通孔を周方向に間隔をあけて形成するのが好ましい。このようにすれば、第１のブラシレスファンモータの回転による外気が第２のブラシレスファンモータのロータカバー内を通過してから、複数の貫通孔を通して外部に流れる。このため、第２のブラシレスファンモータのステータも冷却することができる。この場合においても、複数の貫通孔は、中央貫通孔と対向しない位置に設けるのが好ましい。このようにすれば、中央貫通孔を通して、ステータ内に外部からアクセスすることができないので、送風機が装置に組みつけられるまでの間に、ステータの巻線が外部からの侵入物によって損傷を受けることがない。
【００１６】
第１及び第２のブラシレスファンモータは、回転軸を回転自在に支持する軸受が内部に収納される金属製の軸受ホルダをそれぞれ有しており、第１及び第２の単体軸流送風機は、第１のブラシレスファンモータの軸受ホルダと第２のブラシレスファンモータの軸受ホルダとが熱伝達可能に接触した状態で組み合わせるのが好ましい。このようにすれば、第１のブラシレスファンモータのステータで発生した熱が、第１のブラシレスファンモータの軸受ホルダから第２のブラシレスファンモータの軸受ホルダに伝達する。そのため、第１のブラシレスファンモータのステータの冷却効果を更に高めることができる。
【発明の効果】
【００１７】
本発明によれば、キャップ部材の内部に導入された外気は、ロータカバーの端板部が冷却された後、ロータカバーの内部が冷却される。そのためキャップ部材がロータカバー上に嵌められていても、ロータカバー自体を部分的に冷却した後に、ロータカバー内を冷却することができる利点が得られる。したがって本発明によれば、ロータカバーとキャップ部材の二重構造が、冷却性能を低下させる問題を解消することができる。またロータカバーには、複数の貫通孔が形成されているだけであるため、ロータとステータとの組立に高い精度が要求されることがなく、製造が容易である。またロータカバー内に羽根部が突出していないので、羽根部により巻線部を損傷させる恐れがなく、ブラシレスファンモータの軸線方向の寸法を可能な範囲で小さくすることができる利点が得られる。
【発明を実施するための最良の形態】
【００１８】
以下、図面を参照して本発明の実施の形態を詳細に説明する。図１は、本発明の一実施の形態のブラシレスファンモータの断面図である。図１に示すように、本例のブラシレスファンモータは、カバー部材１とステータ３とロータ５とインペラ７とを有している。カバー部材１は、後述するロータ５の回転軸１７を回転自在に支持する２つの軸受８が内部に収納された軸受ホルダ１ａと、軸受ホルダ１ａに連結されて回転軸１７の径方向に延びる板状部１ｂと、板状部１ｂの外側端部から軸受ホルダ１ａに沿って軸受ホルダ１ａの中心線方向に延びる外側筒部１ｃとを有している。軸受ホルダ１ａは、真鍮により形成されている。板状部１ｂと外側筒部１ｃとは、樹脂により一体成形されている。
【００１９】
ステータ３は、複数枚の鋼板が積層されて構成された鉄心９を備えている。鉄心９は、周方向に並ぶ複数の突極部９ａを有している。そして、各突極部９ａには巻線１１が巻装されている。これら複数の突極部９ａは、巻線１１が励磁されてステータ磁極として機能する。
【００２０】
カバー部材１及びステータ３には回路基板１３が固定されている。カバー部材１の板状部１ｂと対向する回路基板１３の裏面上には、巻線１１に流す電流を制御する制御回路を構成する複数の電子部品が実装されている。回路基板１３上の制御回路と巻線１１とは、回路基板１３のスルーホールに通されて回路基板１３上の電極に半田付けされた端子ピン１５に巻線１１のリード線が巻き付けられて、電気的に接続されている。
【００２１】
ロータ５は、回転軸１７とロータカバー１９と複数の永久磁石磁極部２１とを備えている。図１及び図２に示すように、ロータカバー１９は、筒状部２３と、該筒状部２３の一端に一体に設けられて回転軸１７に固定された端板部２５とを一体に有しており、導磁性材料からなる鋼板をプレス加工することにより形成されている。なお、図２は図１に向かって右側から見たロータカバー１９の平面図である。ロータカバー１９の筒状部２３の内周部には、突極部９ａに対向するように複数の永久磁石磁極部２１が設けられている。ロータカバー１９の端板部２５には、回転軸１７の軸線方向に貫通する４つの貫通孔２５ａが形成されている。４つの貫通孔２５ａは、回転軸１７と同心の仮想円上に等間隔に形成されている。
【００２２】
図１及び図３に示すように、インペラ７は、キャップ部材２７と該キャップ部材２７に取付けられた７枚のブレード２９とを一体に備えて構成されている。本実施例では、インペラ７は、合成樹脂材料を射出成形することにより形成されている。なお、図３は図１に向かって左側から見たインペラ７の裏面図である。キャップ部材２７は、７枚のブレード２９が外周部に取付られた筒状の周壁部３１と、この周壁部３１の一端に設けられてロータカバー１９の端板部２５と対向する底壁部３３とを有しており、ロータカバー１９上に嵌められている。底壁部３３の中央部には、回転軸１７の軸線方向に貫通する中央貫通孔３３ａが形成されている。前述のロータカバー１９の４つの貫通孔２５ａと、中央貫通孔３３ａとは、相互に対向しない位置に設けられている。即ち、４つの貫通孔２５ａは、底壁部３３と対向する位置に形成されている。
【００２３】
底壁部３３と周壁部３１との間には、環状の段部２７ａが形成されている。また、底壁部３３の端板部２５と対向する内壁部には、５枚の羽根部３５が形成されている。これらの羽根部３５は、貫通孔２５ａの数（４個）と異なる枚数（５枚）である。５枚の羽根部３５は、中央貫通孔３３ａを通して外気を引き込むことができる形状を有しており、周壁部３１の周方向に等しい間隔をあけて形成されている。具体的には、５枚の羽根部３５は、回転軸１７の軸線から周壁部３１に向かって延びる放射状の仮想線から徐々に離れるように傾斜しながら湾曲している。そして羽根部３５は、段部２７ａから中央貫通孔３３ａの縁部に向かってそれぞれ延びている。
【００２４】
本例のブラシレスファンモータでは、ロータ５が回転すると、５枚の羽根部３５の回転によりキャップ部材２７の中央貫通孔３３ａを通して引き込まれた外気が、４つの貫通孔２５ａを通ってロータカバー１９内に導入される。これにより、ステータ３から発生する熱が外気により放出されてステータ３が冷却される。本例では、インペラ７のキャップ部材２７に５枚の羽根部３５を形成するので、インペラ７を合成樹脂材料を用いて射出成形で成形する際に、羽根部３５を一緒に形成できる上、５枚の羽根部３５を十分な冷却効果を発揮する所望の形状に形成することができる。そのため、ステータ３の冷却効果を高めることができる。
【００２５】
図４は、本発明のブラシレスファンモータを利用した本発明の二重反転式軸流送風機のの一実施の形態の半部断面図である。本例の二重反転式軸流送風機は、第１の単体軸流送風機１５１と第２の単体軸流送風機１５３とが結合構造を介して組み合わされて構成されている。第１の単体軸流送風機１５１は、第１のケース１５５と、第１のケース１５５内に配置される第１のブラシレスファンモータ１５７とを有している。第１のケース１５５は、軸線Ａが延びる方向（軸線方向）の一方側に環状の吸い込み側フランジ１５９を有し、軸線方向の他方側に環状の吐き出し側フランジ１６１を有している。また第１のケース１５５は、両フランジ１５９，１６１の間に筒部１６３を有している。フランジ１５９とフランジ１６１と筒部１６３の内部空間により、風洞が構成されている。吸い込み側フランジ１５９は、ほぼ四角い輪郭形状を有しており、内部に吸い込み側開口部１６５を有している。吐き出し側フランジ１６１も、ほぼ四角い輪郭形状を有しており、内部に吐き出し側開口部１６７を有している。そして吐き出し側開口部１６７内には、周方向に等間隔を隔てて配置され且つそれぞれ径方向に延びる（放射上に延びる）３本のウエブ１６９が設けられている。これら３本のウエブ１６９を用いて、第１のブラシレスファンモータ１５７が第１のケース１５５に対して固定されている。３本のウエブ１６９は、第２の単体軸流送風機１５３の後述する３本のウエブ１９３とそれぞれ組み合わされて、３枚の静止ブレードを構成している。
【００２６】
第１のブラシレスファンモータ１５７は、ブレードの枚数が７枚である。第１のブラシレスファンモータ１５７は、ブレードの枚数を除いて図１に示すブラシレスファンモータと同じ構造を有している。そのため、第１のブラシレスファンモータ１５７の構造は、図１に示すブラシレスファンモータの部材の符号に１００を加えた符号を付してその説明を省略する。したがって、第１のブラシレスファンモータ１５７の端板部１２５には、回転軸１１７の軸線方向に貫通する４つの貫通孔１２５ａが形成されている。また、底壁部１３３の中央部には、回転軸１１７の軸線方向に貫通する中央貫通孔１３３ａが形成されており、底壁部１３３の端板部１２５と対向する内壁部には、５枚の羽根部１３５が形成されている。
【００２７】
また、第１のケース１５５の３本のウエブ１６９と第１のブラシレスファンモータ１５７の外側筒部１０１ｃとが結合された状態で、第１のケース１５５と第１のブラシレスファンモータ１５７のカバー部材１０１とは、一体に形成されている。そして、第１のブラシレスファンモータ１５７は、吸い込み側開口部１６５にキャップ部材１２７の底壁部１３３が位置するように配置されている。
【００２８】
第１のブラシレスファンモータ１５７は、第１の単体軸流送風機１５１側から見た状態（図４に向かって左側から見た状態）で反時計回り方向に後述する第２のブラシレスファンモータ１８３の回転速度よりも速い速度で回転する。
【００２９】
第２の単体軸流送風機１５３は、第２のケース１８１と、第２のケース１８１内に配置される第２のブラシレスファンモータ１８３とを有している。第２のケース１８１は、軸線Ａが延びる方向（軸線方向）の一方側に吸い込み側フランジ１８５を有し、軸線方向Ａの他方側に吐き出し側フランジ１８７を有している。また第２のケース１８１は、両フランジ１８５，１８７の間に筒部１８９を有している。そしてフランジ１８５とフランジ１８７と筒部１８９の内部空間により、風洞が構成されている。吸い込み側フランジ１８５は、ほぼ四角い輪郭形状を有しており、内部に吸い込み側開口部１９１を有している。吐き出し側フランジ１８７も、ほぼ四角い輪郭形状を有しており、内部に吐き出し側開口部１９５を有している。吸い込み側開口部１９１内には、周方向に等間隔を隔てて配置されて且つそれぞれ径方向に伸びる３本のウエブ１９３が配置されている。これら３本のウエブ１９３によって、第２のブラシレスファンモータ１８３が第２のケース１８１に対して固定されている。３本のウエブ１９３は、第１の単体軸流送風機１の３本のウエブ１６９とそれぞれ組み合わされて、３枚の静止ブレードが構成されることになる。
【００３０】
また、本例の二重反転式軸流送風機は、第２の単体軸流送風機１５３の第２のケース１８１のフック１８１ａが第１の単体軸流送風機１５１の嵌合溝１５１ａに嵌合されて、第１の単体軸流送風機１５１と第２の単体軸流送風機１５３とが組み合わされている。このような組み合わせ構造は、特開２００４−２７８３７１号公報等に示される周知の方法を用いることができる。
【００３１】
第２のブラシレスファンモータ１８３は、第１の単体軸流送風機１５１側から見た状態（図４に向かって左側から見た状態）で時計回り方向、即ち、第１のブラシレスファンモータ１５７の回転方向と逆方向に回転する。前述したように、第２のブラシレスファンモータ１８３は、第１のブラシレスファンモータ１５７の回転速度よりも遅い速度で回転する。
【００３２】
第２のブラシレスファンモータ１８３は、インペラを除いて図１に示すブラシレスファンモータと同じ構造を有している。そのため、第１のブラシレスファンモータ１５７の構造は、図１に示すブラシレスファンモータの部材の符号に２００を加えた符号を付してその説明を省略する。
【００３３】
第２のブラシレスファンモータ１８３のインペラ２０７は、キャップ部材２２７と該キャップ部材２２７に取付けられた５枚のブレード２２９とを一体に備えており、ＡＢＳ／ＰＢＴからなる合成樹脂を射出成形することにより形成されている。５枚のブレード２２９は、第１の単体軸流送風機１５１側から見た状態（図４に向かって左側から見た状態）で時計回り方向に回転する際に、図４に向かって左から右に向かって空気を流す形状を有している。キャップ部材２２７は、５枚のブレード２２９が外周部に取付られた筒状の周壁部２３１と、該周壁部２３１の一端に設けられてロータカバー２１９の端板部２２５と対向する底壁部２３３とを有しており、ロータカバー２１９上に嵌められている。底壁部２３３の中央部には、回転軸２１５の軸線方向に貫通する中央貫通孔２３３ａが形成されている。前述のロータカバー２１９の４つの貫通孔２２５ａと、中央貫通孔２３３ａとは、相互に対向しない位置に設けられている。この底壁部２３３には、羽根部は形成されていない。そして、第２のブラシレスファンモータ１８３は、吐き出し側開口部１９５にキャップ部材２２７の底壁部２３３が位置するように配置されている。
【００３４】
第１の単体軸流送風機１５１と第２の単体軸流送風機１５３とが組み合わされた状態で、第１のブラシレスファンモータ１５７の板状部１０１ｂと、第２のブラシレスファンモータ１８３の板状部２０１ｂとが接触している。これにより、第１のブラシレスファンモータ１５７の軸受ホルダ１０１ａの端部と、第２のブラシレスファンモータ１８３の軸受ホルダ２０１ａの端部とが、熱伝達可能に接触している。
【００３５】
本例の二重反転式軸流送風機では、第１のブラシレスファンモータ１５７のロータ１０５が回転すると、第１のブラシレスファンモータ１５７の羽根部１３５によりキャップ部材１２７の中央貫通孔１３３ａを通して引き込まれた外気が、貫通孔１２５ａを通ってロータカバー１１９内に導入される。これにより、第１のブラシレスファンモータ１５７のステータ１０３から発生する熱が外部に放出されてステータ１０３が冷却される。二重反転式軸流送風機では、通常、第１のブラシレスファンモータ１５７の回転速度が第２のブラシレスファンモータ１８３の回転速度より早いため、第１のブラシレスファンモータ１５７のステータ１０３が高温になりやすい。そのため、本発明では、二重反転式軸流送風機の第１のブラシレスファンモータ１５７のステータ１０３を効率的に冷却することができる。特に本発明では、インペラ１０７のキャップ部材１２７に羽根部１３５を形成するので、インペラ１０７を合成樹脂の射出成形や金属のダイキャスト等の鋳物で形成することにより、羽根部１３５を十分な冷却効果を発揮する所望の形状に形成することができる。そのため、ステータ１０３の冷却効果を高めることができる。
【００３６】
また、第２のブラシレスファンモータ１８３のキャップ部材２２７の底壁部２３３の中央部に中央貫通孔２３３ａを形成し、第２のブラシレスファンモータ１８３の端板部２２５に貫通孔２２５ａを形成するので、第１のブラシレスファンモータ１５７の回転による外気が第２のブラシレスファンモータ１８３のロータカバー２１９内を通過してから、貫通孔２２５ａを通して外部に流れる。このため、第２のブラシレスファンモータ１８３のステータ２０３も冷却することができる。
【００３７】
また、第１のブラシレスファンモータ１５７の軸受ホルダ１０１ａの端部と、第２のブラシレスファンモータ１８３の軸受ホルダ２０１ａの端部とが、熱伝達可能に接触しているので、第１のブラシレスファンモータ１５７のステータ１０３で発生した熱が第１のブラシレスファンモータ１５７の軸受ホルダ１０１ａから第２のブラシレスファンモータ１８３の軸受ホルダ２０１ａに伝達する。そのため、第１のブラシレスファンモータ１５７のステータ１０３の冷却効果を更に高めることができる。
【図面の簡単な説明】
【００３８】
【図１】本発明の一実施の形態のブラシレスファンモータの断面図である。
【図２】図１に向かって右側から見たロータカバーの平面図である。
【図３】図１に向かって左側から見たインペラの裏面図である。
【図４】本発明の実施の形態の二重反転式軸流送風機の半部断面図である。
【符号の説明】
【００３９】
１  カバー部材
３  ステータ
５  ロータ
７  インペラ
１７  回転軸
１９  ロータカバー
２１  永久磁石磁極部
２３  筒状部
２５  端板部
２５ａ  貫通孔
２７  キャップ部材
２９  ブレード
３１  周壁部
３３  底壁部
３３ａ  中央貫通孔
３５  羽根部
１５１  第１の単体軸流送風機
１５３  第２の単体軸流送風機
１５５  第１のケース
１５７  第１のブラシレスファンモータ
１８１  第２のケース
１８３  第２のブラシレスファンモータ
１０１ａ，２０１ａ  軸受ホルダ
【図１】
2008017607.tif 000003
【図２】
2008017607.tif 000004
【図３】
2008017607.tif 000005
【図４】
2008017607.tif 000006
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
筒状部及び該筒状部の一端に一体に設けられて回転軸に固定された端板部を有するロータカバーと、前記筒状部の内周部に設けられた複数の永久磁石磁極部とを備えたロータと、
前記ロータの内側に配置されたステータと、
複数枚のブレードと、該複数枚のブレードが取付られて前記ロータカバー上に嵌められるキャップ部材とを備えたインペラとを具備し、
前記キャップ部材が、前記複数枚のブレードが外周部に取付られた筒状の周壁部と、該周壁部の一端に設けられて前記端板部と対向する底壁部とを有しているブラシレスファンモータであって、
前記キャップ部材の前記底壁部の中央部には、前記回転軸の軸線方向に貫通する中央貫通孔が形成されており、
前記底壁部の前記端板部と対向する内壁部には、前記中央貫通孔を通して外気を引き込むことができる形状の複数枚の羽根部が前記周壁部の周方向に等しい間隔をあけて形成されており、
前記端板部には、前記中央貫通孔から引き込んだ外気を前記ロータカバー内に導入するために前記端板部を前記軸線方向に貫通する複数の貫通孔が前記周方向に等しい間隔をあけて形成されており、
前記複数枚の羽根部と前記複数の貫通孔とが対向しないように、前記複数枚の羽根部の枚数が前記複数の貫通孔の数よりも多いことを特徴とするブラシレスファンモータ。
【請求項２】
前記複数の貫通孔は、前記中央貫通孔と対向しない位置に設けられている請求項１に記載のブラシレスファンモータ。
【請求項３】
前記複数の貫通孔は、前記ステータの巻線と対向する位置に設けられている請求項２に記載のブラシレスファンモータ。
【請求項４】
前記複数枚の羽根部及び前記キャップ部材は、射出成形または鋳造により一体成形されている請求項１に記載のブラシレスファンモータ。
【請求項５】
軸線方向の一方の側に吸い込み側開口部を有し前記軸線方向の他方の側に吐き出し側開口部を有する風洞を備えた第１のケースと、前記吸い込み側開口部内において回転するインペラを備えた第１のブラシレスファンモータとを有する第１の単体軸流送風機と、
前記軸線方向の一方の側に吸い込み側開口部を有し前記軸線方向の他方の側に吐き出し側開口部を有する風洞を備えた第２のケースと、前記吐き出し側開口部内において回転するインペラを備えた第２のブラシレスファンモータとを有する第２の単体軸流送風機とを具備し、
前記第１の単体軸流送風機の前記第１のケースと前記第２の単体軸流送風機の前記第２のケースとが結合構造を介して組み合わされてなり、
前記第１及び第２のブラシレスファンモータが、
筒状部及び該筒状部の一端に一体に設けられて回転軸に固定された端板部を有するロータカバーと、前記筒状部の内周部に設けられた複数の永久磁石磁極部とを備えたロータと、
前記ロータの内側に配置されたステータと、
複数枚のブレードと、該複数枚のブレードが取付られて前記ロータカバー上に嵌められるキャップ部材とを備えたインペラとを具備し、
前記キャップ部材が前記複数枚のブレードが外周部に取付られた筒状の周壁部と、該周壁部の一端に設けられて前記端板部と対向する底壁部とを有しており、
前記第１のブラシレスファンモータが、前記吸い込み側開口部に前記キャップ部材の前記底壁部が位置するように配置され、前記第２のブラシレスファンモータが、前記吐き出し側開口部に前記キャップ部材の前記底壁部が位置するように配置されている二重反転式軸流送風機において、
前記第１のブラシレスファンモータの前記キャップ部材の前記底壁部の中央部には、前記回転軸の軸線方向に貫通する中央貫通孔が形成されており、
前記第１のブラシレスファンモータの前記底壁部の前記端板部と対向する内壁部には、前記中央貫通孔を通して外気を引き込むことができる形状の複数枚の羽根部が前記周壁部の周方向に等しい間隔をあけて形成されており、
前記第１のブラシレスファンモータの前記端板部には、前記中央貫通孔から引き込んだ外気を前記ロータカバー内に導入するために前記端板部を前記軸線方向に貫通する複数の貫通孔が前記周方向に等しい間隔をあけて形成されており、
前記複数枚の羽根部と前記複数の貫通孔とが対向しないように、前記複数枚の羽根部の枚数が前記複数の貫通孔の数よりも多いことを特徴とする二重反転式軸流送風機。
【請求項６】
前記第２のブラシレスファンモータの前記キャップ部材の前記底壁部の中央部には、前記回転軸の軸線方向に貫通する中央貫通孔が形成されており、
前記第２のブラシレスファンモータの前記端板部には、前記端板部を前記軸線方向に貫通する複数の貫通孔が前記周方向に間隔をあけて形成されていることを特徴とする請求項５に記載の二重反転式軸流送風機。
【請求項７】
前記複数の貫通孔は、前記中央貫通孔と対向しない位置に設けられている請求項６に記載の二重反転式軸流送風機。
【請求項８】
前記第１及び第２のブラシレスファンモータは、前記回転軸を回転自在に支持する軸受が内部に収納される金属製の軸受ホルダをそれぞれ有しており、
前記第１及び第２の単体軸流送風機は、前記第１のブラシレスファンモータの前記軸受ホルダと前記第２のブラシレスファンモータの前記軸受ホルダとが熱伝達可能に接触した状態で組み合わされている請求項７に記載の二重反転式軸流送風機。